(57)【要約】【課題】排水を行う工程において、洗浄水に比べ比重の軽い残菜等は浮上がり広がることで、洗浄槽の内壁にどうしても付着してしまため、循環ポンプの運転時間を長くして、洗浄槽内にくまなく洗浄液を当てて、確実に残菜を残菜フィルタ−に捕集させる食器洗浄機を得る。【解決手段】食器洗浄機本体１に、洗浄槽４と、該洗浄槽４の底面５に形成された６凹部に載置自在に設けられた残菜フィルタ−２２と、前記洗浄槽４の底部５に貯えた洗浄液を前記残菜フィルタ−２２を通過させながら循環させる洗浄ポンプ７と、該洗浄ポンプ７により前記洗浄槽４内に前記洗浄液を噴射させる回転ノズル９と、前記洗浄液を前記洗浄機本体１外に排水する排水ポンプ１１と、前記洗浄ポンプ７や排水ポンプ１１を運転制御する制御部２６とを備え、前記洗浄液の排水を行う工程中において、前記排水ポンプ１１と洗浄ポンプ７を交互に運転するよう前記制御部２６にて制御する。【選択図】  図１
2004222901.tif 000002
【特許請求の範囲】
【請求項１】
食器洗浄機本体に、洗浄槽と、該洗浄槽の底面に形成された凹部に載置自在に設けられた残菜フィルタ−と、前記洗浄槽の底部に貯えた洗浄液を前記残菜フィルタ−を通過させながら循環させる洗浄ポンプと、該洗浄ポンプにより前記洗浄槽内に前記洗浄液を噴射させる回転ノズルと、前記洗浄液を前記洗浄機本体外に排水する排水ポンプと、前記洗浄ポンプや排水ポンプを運転制御する制御部とを備え、
前記洗浄液の排水を行う工程中において、前記排水ポンプと洗浄ポンプを交互に運転するよう前記制御部にて制御したことを特徴とする食器洗浄機。
【請求項２】
前記排水ポンプと洗浄ポンプの運転時間は、異ならせたことを特徴とする請求項１記載の食器洗浄機。
【発明の詳細な説明】
【０００１】
【発明の属する技術分野】
この発明は、食器類の洗浄を行う食器洗浄機に関するものである。
【０００２】
【従来の技術】
従来の食器洗浄機においては、洗浄液の排水工程中に排水ポンプを連続運転するとともに洗浄ポンプを連続または断続運転させて、洗浄槽内の残菜などを洗い流して残菜フィルターで捕集するというものである。
【０００３】
【特許文献１】
特公平５−５０２８５号公報（第２頁、第１図）
【０００４】
【発明が解決しようとする課題】
上記のような従来の食器洗浄機では、排水工程時、食器から洗い流した残菜や汚れなどは、水より比重が軽く洗浄槽内に浮き上がり広がって、洗浄槽の内壁面に付着しやすい。そして、排水ポンプが常時運転されているため、洗浄槽内の洗浄液が早く洗浄槽内から無くなってしまい、洗浄ポンプによる洗浄液の洗浄槽内の循環回数が少なくなってしまい、上述したような残菜や汚れを残菜フィルタ−に確実に移動させることができず、衛生的に好ましくない状況が生じてしまうという問題点があった。
【０００５】
この発明は、上述のような課題を解決するためになされたもので、排水を行う工程中において、洗浄槽内で洗浄液の循環回数をより多くすることで、洗浄槽内に付着する残菜や汚れなどに繰返し洗浄液を当てることができ、洗浄槽内の残菜や汚れなどを効率的で確実に残菜フィルタ−に捕集させ、衛生的にも好ましい状態を確保できる食器洗浄機を得るものである。
【０００６】
【課題を解決するための手段】
この発明に係る食器洗浄機においては、食器洗浄機本体に、洗浄槽と、該洗浄槽の底面に形成された凹部に載置自在に設けられた残菜フィルタ−と、前記洗浄槽の底部に貯えた洗浄液を前記残菜フィルタ−を通過させながら循環させる洗浄ポンプと、該洗浄ポンプにより前記洗浄槽内に前記洗浄液を噴射させる回転ノズルと、前記洗浄液を前記洗浄機本体外に排水する排水ポンプと、前記洗浄ポンプや排水ポンプを運転制御する制御部とを備え、前記洗浄液の排水を行う工程中において、前記排水ポンプと洗浄ポンプを交互に運転するよう前記制御部にて制御したものである。
【０００７】
【発明の実施の形態】
実施の形態１．
図１と図２および図３は、この発明の実施の形態１における食器洗浄機の断面図と、該食器洗浄機に収納される残菜フィルタ−の斜視図、および洗浄ポンプと排水ポンプの運転状態を示す工程図を示すものである。
食器洗浄機本体１は、本体ケ−ス２と、その内部に一端面が開口された開口部３を有する洗浄槽４が収納されて構成されている。洗浄槽４の底面５には凹部６が形成され、この凹部６に向かって底面５は傾斜している。底面５の下部には、洗浄液を洗浄槽４内で循環させる洗浄ボンプ７が設けられ、一端部は凹部６に連通する循環パイプ８、他端部は底面５に回動自在に支持され、洗浄槽４内の下方で回転する回転ノズル９に連通している。回転ノズル９には複数の洗浄液の噴射口１０が形成されている。洗浄液を食器洗浄機本体１外に排水する排水ポンプ１１の一端は、凹部６に接続された排水パイプ１２に、他端は排出パイプ１３にそれぞれ接続されている。
【０００８】
給水弁１４は洗浄槽４と本体ケ−ス２間に収納されており、その一端は洗浄槽４内に位置する給水口１５、他端は水道蛇口（図示せず）に連結された給水パイプ１６にそれぞれ接続されている。引出しドア−１７は、洗浄槽４の開口部３を開閉自在に形成するよう本体ケ−ス２に引出し自在に支持されて、開口部３との接触面は防水パッキン１８が設けられている。食器籠載置体１９は、洗浄槽４内で、回転ノズル９の上方に位置するよう引き出しドア−１７に取付けられている。
食器籠２０は、食器２１載置用の載置体２２を複数有しており、食器籠載置体１９に載置自在に設けられている。
【０００９】
残菜フィルタ−２２は、洗浄槽４内の洗浄液を通過させ残菜等は捕集するためにメッシュ状に形成され、凹部６に着脱自在に取り付けられており、取っ手２３を有している。
本体ケ−ス２の前面下部には、操作部２４が形成され、電源スイッチやタイマ−等の操作体２５が取り付けられている。制御部２６は、操作体２５により給水弁１４や洗浄ポンプ７および排水ポンプ１１を電気的に制御するためのものであり、本体ケ−ス２に収納されている。
【００１０】
このように構成された食器洗浄機においては、汚れた食器２１を食器籠２０に載置して操作体２５を操作すると、給水弁１４は給水パイプ１６を介して水道蛇口（図示せず）より水道水を所定量、洗浄槽４内に給水して、洗浄効率を高めるためにその水道水に洗剤を混ぜたり、あるいは水道水を電気分解してアルカリ水のみを洗浄槽４に給水したりして洗浄液とする。なお、この洗浄液は食器２１の汚れの具合によっては洗剤レス（水道水のみ）でも良い。この状態で洗浄ポンプ７が運転されると、洗浄液は回転ノズル９から噴出され、食器２１に付着している残菜や汚れなどを洗い流し、その残菜や汚れなどを残菜フィルタ−２２に捕集させて、洗浄液は洗浄ポンプ７に吸水され再び回転ノズル９から噴出される。この工程を所定回数繰返して、最後に排水ポンプ１１が運転され洗浄液が食器洗浄機本体１外に排水される。この一連の工程を洗浄工程と称す。
【００１１】
次に、給水弁１４が給水パイプ１６を介して水道蛇口（図示せず）から水道水を所定量、洗浄槽４内に給水して、洗浄ポンプ７を運転し、回転ノズル９から洗浄液を噴出して、食器２１をすすぎ洗いするすすぎ工程に入る。このすすぎ工程を数回繰返し、最後に排水ポンプ１１が運転され、洗浄液を食器洗浄機本体１外に排水する工程に入る。この時、洗浄槽４内には残飯等の残菜や汚れなどが付着しやすい。これは洗浄ポンプ７の運転が終ったと同時に特に水より比重の軽い残飯等の残菜やよごれなどが洗浄槽４内に浮上がり、洗浄液が溜まっている洗浄槽４の底面５全体に広がってしまい、洗浄液は残菜フィルタ−２２を素早く通過するが、残飯などの残菜や汚れなどは移動が遅れ洗浄槽４の底面５内の壁面に付着してしまう。
【００１２】
このような状態を解決するために、図３に示すように、洗浄液の排水を行う工程において、排水ポンプ１１と洗浄ポンプ７を交互に同時間運転させるようにする。このような動作によって、洗浄液の排水量を減少させ、洗浄液の循環回数を増やすことで、洗浄槽４の底面５の内壁面に付着する残飯等の残菜や汚れなどに繰返し洗浄液があたり、底面５の内壁面を洗い流して確実に残菜や汚れなどを残菜フィルタ−２２に移動させることができる。つまり、排水ポンプ１１が常時運転していると、洗浄液は短時間で排水されてしまい、洗浄槽４内の洗浄液が早く無くなってしまうことで洗浄ポンプ７による循環回数は極端に少なくなってしまうという欠点を解消することができる。したがって、残菜フィルター２２が確実に洗浄槽４内の残菜や汚れを捕集し、そして洗浄槽４内から残菜フィルタ−２２を取り出し、残菜フィルター２２内の残菜を処理することで、洗浄槽４内から異臭等も無くなり衛生的な食器洗浄機を得ることができる。
【００１３】
実施の形態２．
なお、実施の形態１では、排水を行う工程において、排水ポンプ１１と洗浄ポンプ７の運転時間を同一（同時間）としたが、図４に示すように、排水ポンプ１１の運転時間（ｂ）を短く、洗浄ポンプ７の運転時間（ａ）を長く設定して、洗浄液の循環回数を増やし、洗浄槽４内に付着する残菜や汚れなどに、より多くの洗浄液を当てて洗い流し、確実に残菜フィルタ−２２に捕集させることができる。
また、排水ポンプ１１と循環ポンプ７の処理能力に応じて、前記の如く洗浄ポンプ７の運転時間を長くすることなく、逆にしてもよい。
【００１４】
なお、食器籠２０に載置される食器２１の汚れ具合や、食器２１の枚数に応じて、制御部２６により、洗浄液の排水を行う工程の排水ポンプ１１と洗浄ポンプ７の運転時間を変更できるような制御モ−ドを設定すれば、さらに効率良く食器２１の残菜や汚れなどを残菜フォルター２２に移動させ捕集することができ、更に便利であることは言うまでも無い。
さらに、上記実施の形態１及び２では、洗浄ポンプ７と排水ポンプ１１を別々に形成して説明しているが、一つのポンプを正逆回転させることで、洗浄ポンプと排水ポンプの役目を持たせて、交互に正逆回転させるものであっても、上記実施の形態１および２と同様の効果を得られる。
【００１５】
また、上記実施の形態１及び２は、卓上型の食器洗浄機により説明しているが、ビルトイン型の食器洗浄機であっても良い。
また、上記実施の形態１及び２では、すすぎ工程時の洗浄液の排水を行う工程中の排水ポンプと洗浄ポンプの動作について説明しているが、洗浄工程時の洗浄液の排水を行う工程中に排水ポンプと洗浄ポンプとを上述と同様に動作させることでも、同様の効果を得ることができる。
【００１６】
【発明の効果】
この発明は、以上説明したように、食器洗浄機本体に、洗浄槽と、該洗浄槽の底面に形成された凹部に載置自在に設けられた残菜フィルタ−と、前記洗浄槽の底部に貯えた洗浄液を前記残菜フィルタ−を通過させながら循環させる洗浄ポンプと、該洗浄ポンプにより前記洗浄槽内に前記洗浄液を噴射させる回転ノズルと、前記洗浄液を前記洗浄機本体外に排水する排水ポンプと、前記洗浄ポンプや排水ポンプを運転制御する制御部とを備え、前記洗浄液の排水を行う工程中において、前記排水ポンプと洗浄ポンプを交互に運転するよう前記制御部にて制御したので、洗浄液の循環回数を増やせ、洗浄槽内に付着する残菜を確実に残菜フィルタ−に捕集させることができ、残菜を確実に処理できるので、洗浄槽内を衛生的に保つことができる。
【図面の簡単な説明】
【図１】この発明の実施の形態１を示す食器洗浄機の断面図である。
【図２】この発明の実施の形態１を示す食器洗浄機の残菜フィルタ−の斜視図である。
【図３】この発明の実施の形態１を示す食器洗浄機の排水を行う工程における排水ポンプと循環ポンプの運転を示す図である。
【図４】この発明の実施の形態２を示す食器洗浄機の排水を行う工程における排水ポンプと洗浄ポンプの運転を示す図である。
【符号の説明】
１  食器洗浄機本体、２  本体ケース、３  開口部、４  洗浄槽、５  底面、６凹部、７  洗浄ポンプ、８  循環パイプ、９  回転ノズル、１０  噴射口、１１  排水ポンプ、１２  排水パイプ、１３  排出パイプ、１４  給水弁、１５  給水口、１６  給水パイプ、１７  引出しドアー、１８  防水パッキン、１９  食器籠載置体、２０  食器籠、２１  食器、２２  残菜フィルタ−、２３  取っ手、２４  操作部、２５  操作体、２６  制御部。
【図１】
2004222901.tif 000003
【図２】
2004222901.tif 000004
【図３】
2004222901.tif 000005
【図４】
2004222901.tif 000006